(57)【要約】【課題】  軟膏等のペースト状の薬剤あるいは化粧用のクリーム等を皮膚等に塗布する際に手指に薬剤等を付着させずに簡単に塗布することができ、また、簡素な構造で取り扱いが容易なチューブ容器および塗布アタッチメントを提供する。【解決手段】  容器本体１３と、容器本体の押し出し口１４に脱着可能に設けられた塗布アタッチメント２０と、塗布アタッチメント２０の外面を覆うキャップ３０とからなるチューブ容器１０であって、前記塗布アタッチメント２０は、前記押し出し口１４にねじ止めして取り付けられるノズル部２２と、ノズル部の外周面を被覆するガーゼパッド部２６とを備え、前記ノズル部２２は先端側が封止されるとともに側面に押し出し孔２２ａが開口して設けられ、前記ガーゼパッド部２６には前記押し出し孔２２ａに連通する開口２６ａが設けられていることを特徴とする。【選択図】          図１
2007186215.tif 000002
【特許請求の範囲】
【請求項１】
容器本体と、容器本体の押し出し口に脱着可能に設けられた塗布アタッチメントと、塗布アタッチメントの外面を覆うキャップとからなるチューブ容器であって、
前記塗布アタッチメントは、前記押し出し口にねじ止めして取り付けられるノズル部と、ノズル部の外周面を被覆するガーゼパッド部とを備え、
前記ノズル部は先端側が封止されるとともに側面に押し出し孔が開口して設けられ、
前記ガーゼパッド部には前記押し出し孔に連通する開口が設けられていることを特徴とするチューブ容器。
【請求項２】
前記塗布アタッチメントに設けられるノズル部が、前記押し出し口に取り付けられるねじ止めキャップの頂部に、該ねじ止めキャップの内部に連通して取り付けられていることを特徴とする請求項１記載のチューブ容器。
【請求項３】
前記ノズル部と前記ねじ止めキャップとが一体形成されていることを特徴とする請求項２記載のチューブ容器。
【請求項４】
前記容器本体と、前記塗布アタッチメントに設けられるノズル部とが一体的に形成されていることを特徴とする請求項１記載のチューブ容器。
【請求項５】
前記ノズル部と前記ガーゼパッド部との間に、前記ノズル部の外周側面に周設されたクッション部が設けられ、
前記押し出し孔と連通して、前記クッション部と前記ガーゼパッド部に連通孔が設けられていることを特徴とする請求項１〜４のいずれか一項記載のチューブ容器。
【請求項６】
請求項１記載のチューブ容器に用いられる塗布アタッチメントであって、
前記容器本体の押し出し口にねじ止めして取り付けられるノズル部と、ノズル部の外周面を被覆するガーゼパッド部とを備え、
前記ノズル部は先端側が封止されるとともに側面に押し出し孔が開口して設けられ、
前記ガーゼパッド部には前記押し出し孔に連通する開口が設けられていることを特徴とする塗布アタッチメント。
【請求項７】
前記ノズル部が、前記押し出し口に取り付けられるねじ止めキャップの頂部に、該ねじ止めキャップの内部に連通して取り付けられていることを特徴とする請求項６記載の塗布アタッチメント。
【請求項８】
前記ノズル部と前記ガーゼパッド部との間に、前記ノズル部の外周側面に周設されたクッション部が設けられ、
前記押し出し孔と連通して、前記クッション部と前記ガーゼパッド部に連通孔が設けられていることを特徴とする請求項６または７記載の塗布アタッチメント。
【発明の詳細な説明】
【技術分野】
【０００１】
本発明は、軟膏やクリームなどの薬剤が容器に充填され、容器から薬剤を押し出して使用するチューブ容器およびこれに用いる塗布アタッチメントに関する。
【背景技術】
【０００２】
軟膏やクリーム等の薬剤が充填されたチューブ容器を使用する際には、容器から薬剤を押し出して手指で皮膚の上に薬剤をつけ、薬剤をのばすようにして塗布する。このため、軟膏などの薬を使用する際には、手指を洗って清潔にしてから薬を塗るようにしたり、薬を塗布した後には、手指に残った薬を洗い落としたりしている。このように、軟膏やクリームといった薬剤が充填されたチューブ容器を使用する際には、手指に薬が付着するという煩わしさがあり、このような煩わしさを解消するために手指に薬を付着させないようにして簡単に薬を塗ることができる商品が提供されている。
【０００３】
たとえば、薬剤が収納された容器の開口部にスポンジ等のポーラス状に形成した塗布用のパッドを設け、容器を手で握りながらパッドから薬剤を浸出させて皮膚に塗布できるようにした商品が提供されている。また、ペースト状の薬剤を使用する場合に、チューブ容器の薬剤の押し出し口に、薬剤を塗りつけるためのアタッチメントを取り付け、チューブ容器から押し出した薬剤をアタッチメントを使って皮膚に塗布するようにした商品が提案されている（特許文献１参照）。
【特許文献１】実用新案登録第３０６６９８３号公報
【特許文献２】特開２００２−２６３１９６号公報
【発明の開示】
【発明が解決しようとする課題】
【０００４】
チューブ容器に塗布用のパッドを取り付けた商品は、手指を汚さずに簡単に薬剤を塗布することができるという利点がある。しかしながら、塗布用のパッドを備えたチューブ容器は液体状の薬剤には使用できるが、軟膏あるいはペースト状の薬剤の使用には適さない。また、特許文献１に開示されているような、チューブ容器に塗布用のアタッチメントを取り付けたものは、手指を汚さずに塗布することは可能であるが、アタッチメントを収納する操作が煩わしく、構造も複雑になるという問題がある。
【０００５】
本発明は、軟膏等のペースト状の薬剤やクリーム等の化粧品を皮膚等に塗布する際に、手指に薬剤等を付着させずに簡単に塗布することができ、また、構造が簡素で取り扱いが容易なチューブ容器およびこれに用いる塗布アタッチメントを提供することを目的とする。
【課題を解決するための手段】
【０００６】
上記目的を達成するため、本発明は次の構成を備える。
すなわち、容器本体と、容器本体の押し出し口に脱着可能に設けられた塗布アタッチメントと、塗布アタッチメントの外面を覆うキャップとからなるチューブ容器であって、前記塗布アタッチメントは、前記押し出し口にねじ止めして取り付けられるノズル部と、ノズル部の外周面を被覆するガーゼパッド部とを備え、前記ノズル部は先端側が封止されるとともに側面に押し出し孔が開口して設けられ、前記ガーゼパッド部には前記押し出し孔に連通する開口が設けられていることを特徴とする。
なお、容器本体はペースト状あるいは液状の薬剤あるいは化粧品として使用するクリーム等を充填して提供されるものである。
【０００７】
また、前記塗布アタッチメントに設けられるノズル部が、前記押し出し口に取り付けられるねじ止めキャップの頂部に、該ねじ止めキャップの内部に連通して取り付けられていることを特徴とする。
また、前記ノズル部と前記ねじ止めキャップとが一体形成されていることにより、塗布アタッチメントの構成がさらに簡素となる。
また、前記容器本体と、前記塗布アタッチメントに設けられるノズル部とが一体的に形成されていることを特徴とする。
また、前記ノズル部と前記ガーゼパッド部との間に、前記ノズル部の外周側面に周設されたクッション部が設けられ、前記押し出し孔と連通して、前記クッション部と前記ガーゼパッド部に連通孔が設けられていることにより、皮膚等に薬剤やクリームを塗布する際に手指に近い感触により塗布することができる。
【０００８】
また、前記チューブ容器に用いられる塗布アタッチメントであって、前記容器本体の押し出し口にねじ止めして取り付けられるノズル部と、ノズル部の外周面を被覆するガーゼパッド部とを備え、前記ノズル部は先端側が封止されるとともに側面に押し出し孔が開口して設けられ、前記ガーゼパッド部には前記押し出し孔に連通する開口が設けられていることを特徴とする。
また、前記ノズル部が、前記押し出し口に取り付けられるねじ止めキャップの頂部に、該ねじ止めキャップの内部に連通して取り付けられていることを特徴とする。
また、前記ノズル部と前記ガーゼパッド部との間に、前記ノズル部の外周側面に周設されたクッション部が設けられ、前記押し出し孔と連通して、前記クッション部と前記ガーゼパッド部に連通孔が設けられていることを特徴とする。
【発明の効果】
【０００９】
本発明に係るチューブ容器は、容器本体を押すことにより容器本体に充填された薬剤や化粧用のクリームがガーゼパッド部の外面に押し出され、ガーゼパッド部により薬剤等をのばすようにして皮膚等に塗布することができる。これによって、手指に薬剤等を付着させずに取り扱うことができ、簡素な構造で、取り扱いやすいチューブ容器および塗布アタッチメントとして提供される。
【発明を実施するための最良の形態】
【００１０】
以下、本発明の好適な実施の形態について、添付図面にしたがって詳細に説明する。
（第１の実施の形態）
図１は、本発明に係るチューブ容器の第１の実施の形態の構成を示す。本実施形態のチューブ容器１０は、薬剤が充填された容器本体１３と、容器本体１３の押し出し口１４に脱着可能に設けられた塗布アタッチメント２０と、塗布アタッチメント２０を覆うキャップ３０とからなる。
塗布アタッチメント２０は、押し出し口１４にねじ止めして取り付けられるノズル部２２と、ノズル部２２の外周側面に周設されたクッション部２４と、クッション部２４の外周面を被覆するガーゼパッド部２６とからなる。
【００１１】
ノズル部２２は、先端が封止された細径の筒状に形成される一方、容器本体１３の押し出し口１４に取り付けられる基端部は、先端側にくらべて径大となる取付部２２ｂに形成され、取付部２２ｂの内周面には押し出し口１４に螺合するねじ部が設けられる。ノズル部２２の長手方向の中央位置から若干先端側に寄った位置に、押し出し孔２２ａが設けられる。
本実施形態においてはノズル部２２に押し出し孔２２ａを１つ設けたが、ノズル部２２に設ける押し出し孔２２ａの個数および配置位置は適宜選択することができる。
【００１２】
クッション部２４はスポンジあるいは発泡スチロール等の若干クッション性を有する肉厚の素材を使用し、塗布アタッチメント２０の外径が手指程度の太さの円柱状になるように設けられる。クッション部２４には、ノズル部２２に設けられた押し出し孔２２ａに位置合わせして周方向に長手となるスリット孔２４ａが設けられる。スリット孔２４ａは、クッション部２４を厚さ方向に貫通して設けられ、押し出し孔２２ａに連通する。
ガーゼパッド部２６は、円柱状に形成されたクッション部２４の外周面にガーゼを巻回して設けられる。ガーゼパッド部２６にはスリット孔２４ａに位置合わせしてスリット状の開口２６ａが設けられる。スリット孔２４ａおよび開口２６ａが押し出し孔２２ａに連通する連通孔を構成する。
【００１３】
図２（ａ）は、容器本体１３に塗布アタッチメント２０を取り付けた状態、図２（ｂ）は塗布アタッチメント２０の単体を正面から見た状態を示す。塗布アタッチメント２０はガーゼパッド部２６によって外周面が被覆された円柱体の部品である。スリット孔２４ａおよｂ開口２６ａは塗布アタッチメント２０の中央からやや先端側に寄った位置に、周方向（横方向）に細長く開口するように設けられる。
【００１４】
図３は塗布アタッチメント２０が取り付けられたチューブ容器１０の使用方法を示す。本発明に係るチューブ容器１０は、容器本体１３を指で押さえて容器本体１３に充填されている軟膏等の薬剤を、押し出し口１４からノズル部２２に押し出し、ノズル部２２に設けられた押し出し孔２２ａからスリット孔２４ａを介してガーゼパッド部２６の開口２６ａに押し出して使用する。
【００１５】
ノズル部２２は薬剤が漏出しないように押し出し口１４に取り付けられており、容器本体１３を押すようにすると、薬剤はノズル部２２を経由して塗布アタッチメント２０の外側に押し出されてくる。塗布アタッチメント２０の外側に薬剤が押し出されたところで、容器本体１３を手で軽く握り、ガーゼパッド部２６を患部（皮膚）に押し当てるようにしながら薬剤をこすりつけるようにして塗布する。塗布アタッチメント２０を用いて皮膚の表面に薬剤をのばすようにすることで塗布アタッチメント２０の外面を被覆するガーゼパッド部２６に薬剤Ａが広がり、皮膚に塗布される。
【００１６】
本実施形態のチューブ容器１０は、塗布アタッチメント２０が手指の太さ程度に形成されているから、ガーゼパッド部２６に薬剤Ａが付着した状態で塗布することにより、手指で薬剤を塗布している場合と同じ感触で薬剤を塗布することができる。
また、ガーゼパッド部２６に薬剤が付着した状態で薬剤を塗布するから、汚れた手指で薬剤を塗布する場合にくらべて清潔に薬剤を塗布することができる。また、薬剤には手指を触れることがないから、手指が薬剤に付着することもない。
【００１７】
使用後は、キャップ３０を塗布アタッチメント２０に被せ、塗布アタッチメント２０の外面全体をキャップ３０で封止する。塗布アタッチメント２０をキャップ３０により封止することにより、チューブ容器１０の不使用時に塗布アタッチメント２０の外周面のガーゼパッド部２６に汚れが付着することを防止し、ガーゼパッド部２６を常時、清潔に維持することができる。使用の際には、キャップ３０を外し、塗布アタッチメント２０のガーゼパッド部２６を露出させて使用する。
【００１８】
本実施形態のチューブ容器１０において使用する塗布アタッチメント２０は、あらかじめ容器本体１３に付属させた状態で提供することもできるし、一般的に使用されている軟膏等の薬剤が充填されているチューブ容器に適用できるアタッチ品として供給することもできる。塗布アタッチメント２０は、容器本体１３の押し出し口１４にねじ止めして脱着自在であるから、従来品に取り付けて使用することもできるし、随時交換して使用することもできる。
【００１９】
（第２の実施の形態）
図４は、本発明に係るチューブ容器の第２の実施の形態の構成を示す。本実施形態のチューブ容器１１は、容器本体１３と塗布アタッチメント２０が一体に形成されていることを特徴とする。すなわち、本実施形態のチューブ容器１１は、容器本体１３の押し出し口自体をノズル部２２に形成し、ノズル部２２の外周側面にガーゼパッド部２６を被覆した構成としたものである。ノズル部２２に押し出し孔２２ａを形成すること、ガーゼパッド部２６に、押し出し孔２２ａと連通する開口２６ａを設けることは上述した第１の実施の形態と同様である。
【００２０】
本実施形態のチューブ容器１１では、容器本体１３から軟膏等の薬剤を押し出すことにより、ノズル部２２から押し出し孔２２ａ、開口２６ａを介してガーゼパッド部２６の外面に薬剤が押し出されるから、第１の実施の形態における場合と同様に、ガーゼパッド部２６を皮膚に当て、ガーゼパッド部２６で皮膚を擦るようにして薬剤を塗布する。
【００２１】
本実施形態のように、塗布アタッチメント２０は容器本体１３と一体的に形成することも可能であり、ノズル部２２をやや太径とし、クッション部２４を用いずにノズル部２２の外周側面にガーゼパッド部２６を被覆して塗布アタッチメント２０を形成することもできる。容器本体１３と一体にノズル部２２を形成することにより、容器本体１３を成形する際に同時にノズル部２２を形成することができ、塗布アタッチメント２０を備えたチューブ容器１１を低コストで製造することができる。なお、この実施形態の場合は、ガーゼパッド部２６のみを交換可能とすることもできる。また、キャップ３０を塗布アタッチメント２０に被せてガーゼパッド部２６に汚れが付着しないようにすることも前述した実施形態と同様である。
【００２２】
（第３の実施の形態）
図５は、本発明に係るチューブ容器の第３の実施の形態の構成を示す。本実施形態のチューブ容器１２は、容器本体１３の押し出し口１４に取り付けられるねじ止めキャップ１５に塗布アタッチメント２０を装着した構成としたことを特徴とする。図５は、塗布アタッチメント２０にキャップ３０を外挿するようにして装着した状態を示す。
ねじ止めキャップ１５は従来のチューブ容器で押し出し口１４に取り付けられているキャップと同形態のもので、頂部に開口孔１５ａを設け、開口孔１５ａに塗布アタッチメント２０のノズル部２２の基端部２２ｃを挿通し、開口孔１５ａにノズル部２２をかしめ固定したものである。これによってねじ止めキャップ１５を押し出し口１４にねじ止めした状態で容器本体１３とノズル部２２が連通する。
【００２３】
ノズル部２２の外周側面にクッション部２４を設けること、クッション部２４の外周側面をガーゼパッド部２６により被覆すること、ノズル部２２に押し出し孔２２ａを設け、クッション部２４にスリット孔２４ａを設け、ガーゼパッド部２６に開口２６ａを設けて、押し出し孔２２ａ、スリット孔２４ａ、開口２６ａを連通状態とすることも前述した実施形態と同様である。
【００２４】
本実施形態のチューブ容器１２の場合も前述した各実施の形態と同様に、容器本体１３から薬剤を押し出すことにより、塗布アタッチメント２０のガーゼパッド部２６に薬剤が押し出されるから、ガーゼパッド部２６により薬剤をのばすようにして患部に塗布することができる。本実施形態のチューブ容器１２の場合は、ねじ止めキャップ１５に塗布アタッチメント２０が付設されているから、ねじ止めキャップ１５を脱着する操作によって簡単に塗布アタッチメント２０を着脱できるという利点がある。なお、本実施形態ではねじ止めキャップ１５とノズル部２２とを別体としているが、ねじ止めキャップ１５とノズル部２２とを樹脂成形等によって一体的に形成することもできる。その場合には、より低コストで塗布アタッチメント２０を製造することができる。
【００２５】
また、上記各実施形態においては、容器本体１３にペースト状の薬剤を充填し、薬剤を塗布する例として説明したが、容器本体１３には液状の薬剤を充填して使用することももちろん可能である。また、本発明に係るチューブ容器は軟膏等の薬剤を使用する場合に限らず、化粧品で使用するクリームなどを塗布する場合にも適用することができる。
【図面の簡単な説明】
【００２６】
【図１】本発明に係るチューブ容器の第１の実施の形態の構成を示す部分断面図である。
【図２】チューブ容器の正面図（ａ）、および塗布アタッチメントの正面図（ｂ）である。
【図３】チューブ容器の使用状態を示す説明図である。
【図４】本発明に係るチューブ容器の第２の実施の形態の構成を示す部分断面図である。
【図５】本発明に係るチューブ容器の第３の実施の形態の構成を示す部分断面図である。
【符号の説明】
【００２７】
１０、１１、１２  チューブ容器
１３  容器本体
１４  押し出し口
１５  ねじ止めキャップ
２０  塗布アタッチメント
２２  ノズル部
２２ａ  押し出し孔
２４  クッション部
２４ａ  スリット孔
２６  ガーゼパッド部
２６ａ  開口
３０  キャップ
【図１】
2007186215.tif 000003
【図２】
2007186215.tif 000004
【図３】
2007186215.tif 000005
【図４】
2007186215.tif 000006
【図５】
2007186215.tif 000007